(57)【要約】【課題】便や培地などの飛び出しを防止できる採便器具を提供する。【解決手段】採便器具１０は、容器１２、容器１２の開口を閉じるキャップ１４、採取部１６を備えた採便棒１８、採便棒１８に設けられた羽部２０を備える。羽部２０の一部は容器１２の内壁６６に接する接触部６８になっている。接触部６８はキャップ１４の外側に出ている。接触部６８がキャップ１４の外側に配置されており、キャップ１４の中に容器１２の薄肉部２８を入れる際、採便棒１８が容器１２の中心軸に配置される。そのため、キャップ１４で容器１２を閉じるときに、容器１２とキャップ１４の位置合わせができ、キャップ１４と容器１２がぶつかって破損することを防止できる。【選択図】図１
2018031602.tif 000002
【特許請求の範囲】
【請求項１】
開口を有する容器と、
前記開口を閉じるためのキャップと、
一端と他端を有する棒状体であり、該他端が前記キャップに固定された採便棒と、
前記採便棒の一端付近に設けられた凸部を含む採取部と、
前記採便棒の長さ方向の途中に設けられ、前記容器の内壁に接する接触部を有し、該接触部が前記キャップの外側に配置されている羽部と、
を備えた採便器具。
【請求項２】
前記羽部が採便棒の一端から他端に向けて広がる傾斜部を備えた請求項１の採便器具。
【請求項３】
複数の前記羽部が採便棒の周方向に間隔を空けて設けられた請求項１または２の採便棒。
【請求項４】
前記容器に切り欠きを備え、該切り欠きでできた空間が前記開口につながっている請求項１から３のいずれかの採便器具。
【発明の詳細な説明】
【技術分野】
【０００１】
本発明は、便を採取し、保管するための採便器具に関するものである。
【背景技術】
【０００２】
従来、検便をおこなうために、採便棒で便を採取し、容器の中に密封している。たとえば、図１３に示す従来の採便器具１３０は、培地が入った容器１３２、容器１３２の一端１３４に形成された開口１３６、その開口１３６を閉じるキャップ１３８、キャップ１３８に取り付けられた採便棒１４０を備えている。採便棒１４０の先端は凸部１４２と凹部１４４からなる便の採取部１４６になっている。
【０００３】
容器１３２の中に密封された便を検査するとき、ロボットアームでキャップ１３８を取り外し、採取部１４６を検査用の培地にこすり付けたりする。その後、再び採便棒１４０を容器１３２の中に入れ、キャップ１３８の中に容器１３２の一端１３４を入れる。容器１３２の開口１３６が閉じられる。
【０００４】
採便棒１４０が容器１３２の中心軸に配置されないと、キャップ１３８の中に容器１３２が入らない。キャップ１３８と容器１３２の位置がずれた状態で、ロボットアームがキャップ１３８で容器１３２の開口１３６を閉じようとすると、容器１３２の一端１３４、キャップ１３８またはその両方を押しつぶす恐れがある。ロボットアームで複数の採便器具１３０を順番に検査するため、１つでも開口１３６を閉じられなければ、他の採便器具１３０の検査に影響する。なお、特許文献１に記載されている採便容器も図１３と同様の構造が有り、容器１３２の一端１３４とキャップ１３８とがぶつかる恐れがある。
【先行技術文献】
【特許文献】
【０００５】
【特許文献１】特開２００５−１５６１８７号公報
【発明の概要】
【発明が解決しようとする課題】
【０００６】
本発明の目的は、キャップで容器の開口を閉じるときの事故を低減させた採便器具を提供することにある。
【課題を解決するための手段】
【０００７】
本発明の採便器具は、開口を有する容器、開口を閉じるためのキャップ、一端と他端を有する棒状体であり、他端がキャップに固定された採便棒、採便棒の一端付近に設けられた凸部を含む採取部と、採便棒の長さ方向の途中に設けられ、容器の内壁と接する接触部を有し、接触部がキャップの外側に配置された羽部を備える。
【０００８】
キャップに採便棒が固定されており、容器からキャップを取り外すとキャップを持った状態で採便棒の先端にある採取部を便に突き刺すことができる。その後、キャップで容器の開口を閉じる。キャップで容器の開口を閉じるとき、接触部容器の内壁に接し、容器の中心軸に採便棒が配置される。
【発明の効果】
【０００９】
本発明によると、羽部の接触部によってキャップの中に容器が入れられる前に、容器の中心軸に採便棒を配置できる。キャップの中に容器が入るときに、それらの位置合わせが完了している。キャップと容器がぶつからず、スムーズにキャップの内壁に容器を接触させ、キャップの中に容器を入れることができる。
【図面の簡単な説明】
【００１０】
【図１】採便器具を示す図であり、（ａ）は採便器具の外観を示す図であり、（ｂ）は採便器具の内部を示す図である。
【図２】容器を示す図であり、（ａ）は容器の正面を示す図であり、（ｂ）は容器の側面を示す図である。
【図３】容器を示す図であり、（ａ）は容器の断面を示す図であり、（ｂ）は容器の上面図である。
【図４】キャップの断面図を示す図である。
【図５】採便棒を示す図であり、（ａ）は採便棒の正面図であり、（ｂ）は採便棒の側面図である。
【図６】（ａ）は図１(ｂ)のＡ−Ａ線断面図であり、（ｂ）は図１（ｂ）のＢ−Ｂ線断面図である。
【図７】キャップを外して採便棒を容器の外に出した図である。
【図８】採便棒を示す図であり、（ａ）は三角形の羽部を備えた採便棒の正面図であり、（ｂ）は曲線的な羽部を備えた採便棒の正面図である。
【図９】羽部の他の形状を示す図であり、（ａ）は羽部の側面図であり、（ｂ）はＣ−Ｃ線断面図である。
【図１０】羽部の他の形状を示す図であり、（ａ）は羽部の側面図であり、（ｂ）は円錐台の傾斜から見た羽部の図である。
【図１１】羽部の他の形状を示す図であり、（ａ）は羽部の側面図であり、（ｂ）は角錐台の傾斜から見た羽部の図である。
【図１２】複数の凸部からなる採取部を備えた採便棒を示す図である。
【図１３】従来の採便器具を示す図である。
【発明を実施するための形態】
【００１１】
本発明の採便器具について図面を使用して説明する。
【００１２】
図１に示す採便器具１０は、容器１２、その容器１２の開口を閉じるキャップ１４、採取部１６を備えた採便棒１８、その採便棒１８に設けられた羽部２０を備える。
【００１３】
図２、図３に示すように、容器１２は円筒状であり、その一端２２は閉じずに開口２４にし、他端２６は閉じている。容器１２の一端２２がキャップ１４の中に入って、容器１２の開口２４が閉じられる。キャップ１４の中に入る部分は容器１２の厚みを薄くした薄肉部２８になっている（図３（ａ））。キャップ１４の内壁は薄肉部２８に接するようになっている。容器１２における薄肉部２８以外の部分は薄肉部２８よりも厚くなった厚肉部３０になっている。
【００１４】
薄肉部２８の複数個所にリング状の凸部３２を設けている。キャップ１４の内壁３４にリング状の凸部３２がはまる凹部３６を設けている（図４）。凸部３２と凹部３６によってキャップ１４が薄肉部２８から外れにくくなっている。薄肉部２８とキャップ１４の内壁３４が接しており、さらに複数の凸部３２と凹部３６を設けているため、キャップ１４で容器１２を密封できる。
【００１５】
厚肉部３０における薄肉部２８付近にリング状の凸部３８を設けている。リング状の凸部３８は複数ある。凸部３８が容器１２を持った時のすべり止めになる。キャップ１４の付け外し時に指が滑るのを防止できる。
【００１６】
容器１２の中に便の保存または検査用の培地４０が入っている（図１（ｂ））。培地４０は、液体培地や半流動培地が挙げられる。キャップ１４で開口２４を閉じたときに、培地４０の中に採取部１６が入るようになっている。なお、検査方法によっては、容器１２の中に培地４０を入れない場合もある。
【００１７】
採便棒１８は一端４２と他端４４を有する直線状の棒状体である（図５）。採便棒１８の断面は円形になっている。採便棒１８の一端４２またはその付近に採取部１６が有る。採便棒１８と採取部１６は一体的に形成されている。
【００１８】
採取部１６は採便棒１８の一端４２またはその付近に形成した凸部４６と凹部４８からなる。凸部４６は採便棒１８の一端４２にいくほど先細りになっており、採取部１６が便に刺さりやすくなっている。図６（ａ）に示すように、採取部１６の側部が凹むように凹部４８が形成されている。採取部１６を便の中に突き刺したときに、凹部４８の中に便が入る。凹部４８の中に別の凸部５０を設け、凹部４８の中に入った便が、凹部４８内で維持されやすくなっている。
【００１９】
キャップ１４の内底５２に採便棒１８を固定する固定部５４が設けられている（図４）。キャップ１４の内底５２は円形になっており、固定部５４は円筒形になっている。固定部５４の内壁５６にはリング状の凸部５８が設けられている。採便棒１８の他端４４付近には凸部６０が設けられている（図５）。採便棒１８の他端４４が固定部５４の中に入ると、凸部５８、６０同士が引っかかり、採便棒１８が固定部５４に固定される。キャップ１４の内底５２の中心に採便棒１８が固定され、採便棒１８の長さ方向が内底５２に対して垂直方向を向いている。
【００２０】
採便棒１８に鍔６２が設けられている。鍔６２は固定部５４の端部６４に接する。鍔６２が端部６４に接することで、キャップ１４に対して採便棒１８がぐらつかず、安定しやすい。
【００２１】
採便棒１８の長さ方向の途中に板状の羽部２０が設けられている。羽部２０は複数であり、採便棒１８の周方向に間隔を空けて配置されている（図６（ｂ））。羽部２０同士の間隔は、一定であっても良いし、不規則な間隔であっても良い。
【００２２】
羽部２０の一部は容器１２の内壁６６に接する接触部６８になっている。全ての羽部２０は同一形状になっており、採便棒１８からそれぞれの接触部６８までの距離は全て同じである。接触部６８が容器１２の内壁６６に接することで、採便棒１８を容器１２の中心軸Ｏ（図３）に配置することができる。
【００２３】
図７に示すように、採便棒１８の長さはキャップ１４の深さよりも長いため、採便棒１８の一端４２はキャップ１４の外側に配置されている。さらに、接触部６８はキャップ１４の外側に配置されている。そのため、キャップ１４の中に容器１２の薄肉部２８が入るまでに、接触部６８が容器１２の内壁６６に接する。上述したように、採便棒１８が容器１２の中心軸Ｏに配置される。キャップ１４で容器１２を閉じるときに、容器１２とキャップ１４の位置合わせができ、キャップ１４と容器１２がぶつかって破損することを防止できる。なお、接触部６８の全てがキャップ１４の外側に出ている必要は無く、接触部６８の一部がキャップ１４の外に配置されれば良い。
【００２４】
羽部２０は、採便棒１８の一端４２から他端４４に向けて広がる傾斜部７０を備える。傾斜部７０は接触部６８よりも採便棒１８の一端４２側にある。傾斜部７０のもっとも広がった部分が接触部６８とつながっている。容器１２に採便棒１８を入れ始めたとき、採便棒１８が容器１２の中心軸Ｏに来なくても、傾斜部７０が容器１２の一端２２に当たる。そのため、採便棒１８が徐々に容器１２の中心軸Ｏに向かう。さらに接触部６８が容器１２の中に入ると、接触部６８が容器１２の内壁６６に接し、上記のように容器１２の中心軸Ｏに採便棒１８が配置される。
【００２５】
羽部２０と羽部２０の間に空間７２が有る。羽部２０によって容器１２を密封することは無い。培地４０と便でガスが発生する場合があるが、容器１２における羽部２０よりも他端２６側の空間のガス圧を高めにくい。ガスによる暴発の恐れを小さくできる。
【００２６】
採取した便を自動で検査する場合、ロボットアームがキャップ１４を取り外す。そのロボットアームはキャップ１４を回転させながら容器１２からキャップ１４を取り外す。キャップ１４を回転させた際、羽部２０によって容器１２の内壁６６についた便を落とすこともできる。便の散らばりを防止できる。
【００２７】
容器１２の一端２２に切り欠き７４を設けている。切り欠き７４は容器１２の長さ方向に対して傾斜しており、半円形または半楕円形になっている。切り欠き７４でできた空間７６が開口１４につながることで、採便棒１８を容器１２に入れる空間が広がる。キャップ１４を取り外したとき、採便棒１８を傾斜させることができ、空間７６でキャップ１４を取り外し易くなっている。採便棒１８を傾斜させて容器１２に入れることも可能になり、キャップ１４を開け閉めし易くなっている。切り欠き７４でできた空間７６もキャップ１４で閉じられる。
【００２８】
図７に示すように、切り欠き７４の高さｄ１は、傾斜部７０が最も広がった部分からキャップ１４までの長さｄ２よりも小さくする。採便部１８が空間７６から容器１２に入ったとしても、傾斜部７０が容器１２にすべて入った後でキャップ１４の中に容器１２が入るようになる。容器１２の中心軸Ｏに採便棒１８が配置された状態でキャップ１４の中に容器１２が入れられ、キャップ１４と容器１２がぶつからない。
【００２９】
以上ように、本発明は接触部６８をキャップ１４の外側に配置したことで、キャップ１４と容器１２のぶつかりを防止でき、容器１２を密閉するときの事故を防止できる。接触部６８につながる傾斜部７０もキャップ１４の外にあり、採便棒１８の位置がずれも、キャップ１４の中に容器１２が入る前に、スムーズに採便棒１８の位置を容器１２の中心軸Ｏにすることができる。また、羽部２０が容器を密封しないため、羽部２０によって容器１２内のガス圧を高めすぎず、暴発の恐れが小さくなっている。
【００３０】
以上、本発明の実施形態を説明したが、本発明は上記の実施形態に限定されない。たとえば、図８（ａ）の採便棒８０のように、羽部８２が三角形であっても良い。羽部８２の全体にわたって傾斜部８３が形成される。傾斜部８３のもっとも広がった部分が接触部８４になる。
【００３１】
図８（ｂ）の採便棒８５の羽部８６のように、曲線的に広がる傾斜部８８であっても良い。図８（ａ）と同様に、傾斜部８８の最も広がった部分が接触部８９になる。
【００３２】
以上の説明から、採便棒１８、８０、８５の一端４２から他端４４に向けて広がるのであれば傾斜部７０、８３、８８の角度や形状は限定されない。傾斜部７０、８３、８８につながっており、キャップ１４の外側に配置されているのであれば、接触部６８、８４、８９の形状も限定されない。
【００３３】
図９の羽部９０のように、採便棒１８の途中に形成した円錐台９１の外周に円弧状の溝９２を形成し、溝９２と溝９２の間を羽部９０にしても良い。すなわち、採便棒１８に羽部９０を直接形成せず、間接的に形成していても良い。円錐台９１のテーパーになっている箇所が採便棒１８の一端から他端に向けて広がった傾斜部９３、羽部９０の最も外側が容器１２の内壁６６に接する接触部９４になっている。溝９２は円弧状に限定されず、三角形などであっても良い。
【００３４】
図１０の羽部１００のように、採便棒１８の円錐台１０１における採便棒１８と平行になった箇所１０２に羽部１００を設けている。円錐台１０１の傾斜部分１０３から羽部１００に続く傾斜部１０４、傾斜部１０３が最も広がった部分である接触部１０５を備える。円錐台１０１に羽部１００を設けたが、角錐台に羽部１００を設けても良い。さらに図１１のように、角錐台の羽部１１０であっても良い。角錐台の最も広がったところが接触部１１１になる。
【００３５】
図１２の採便棒１２０のように、採便棒１２０の一端４２付近に多数の小さな凸部１２２を設け、採取部１２４にしても良い。採取部１２４に便が付けば、採取部１２４の形状は限定されない。また、図１等に示した凹部４８の代わりに貫通穴にしても良い。
【００３６】
キャップ１４に採便棒１８、８０、８５、１２０が固定されればその構造は限定されない。キャップ１４と採便棒１８、８０、８５、１２０を一体的に形成して、キャップ１４に採便棒１８、８０、８５、１２０を固定しても良い。
【００３７】
その他、本発明は、その主旨を逸脱しない範囲で当業者の知識に基づき種々の改良、修正、変更を加えた態様で実施できるものである。
【符号の説明】
【００３８】
１０：採便器具
１２：容器
１４：キャップ
１６、８４、１２４：採取部
１８、８０、８５、１２０：採便棒
２０、８２、８６、９０、１００、１１０：羽部
２２：容器の一端
２４：容器の開口
２６：容器の他端
２８：容器の薄肉部
３０：容器の厚肉部
３２：薄肉部の凸部
３４：キャップの内壁
３６：キャップの内壁の凹部
３８：容器の厚肉部の凸部
４０：培地
４２：採便棒の一端
４４：採便棒の他端
４６、１２２：採取部を構成する凸部
４８：採取部を構成する凹部
５０：採取部を構成する凹部の中の凸部
５２：キャップの内底
５４：キャップの内底に設けた固定部
５６：固定部の内壁
５８：固定部の内壁の凸部
６０：採便棒の他端付近の凸部
６６：容器の内壁
６８、８４、８９、９４、１０５、１１１：接触部
７０、８３、８８、９３、１０４：羽部の傾斜部
７２：羽部同士の間の空間
７４：切り欠き
７６：切り欠きによってできた空間
９１、１０１：円錐台
９２：溝
１０２：円錐台の採便棒と平行部分
１０３：円錐台の傾斜部分
【図１】
2018031602.tif 000003
【図２】
2018031602.tif 000004
【図３】
2018031602.tif 000005
【図４】
2018031602.tif 000006
【図５】
2018031602.tif 000007
【図６】
2018031602.tif 000008
【図７】
2018031602.tif 000009
【図８】
2018031602.tif 000010
【図９】
2018031602.tif 000011
【図１０】
2018031602.tif 000012
【図１１】
2018031602.tif 000013
【図１２】
2018031602.tif 000014
【図１３】
2018031602.tif 000015